(57)【要約】      （修正有）【課題】ジェットポンプライザ管溶接部を点検する際、インレットミキサを取り外すことなく、ジェットポンプライザ管溶接部へアクセス装置をアクセスさせることができるジェットポンプライザ管溶接部へのアクセス方法を提供する。【解決手段】アクセス装置８と、補助ツール９と、操作ポール１０とを一体として操作用ロープ１１によって原子炉圧力容器５内に吊り下げる。補助ツール９がシュラウド６上部へ着座した後、この補助ツール９をシュラウド６上部に固定し、補助ツール９のアーム１６を、原子炉圧力容器５内壁側へ伸ばし、アクセス装置８と操作用ロープ１１とを原子炉圧力容器５内壁側へ移動させる。次に、アクセス装置８と操作用ロープ１１とを更に降下させて、アクセス装置８をジェットポンプライザ管溶接部１ａへアクセスさせる。【選択図】図３
2008203203.tif 000002
【特許請求の範囲】
【請求項１】
原子炉圧力容器内に設置されたジェットポンプライザ管溶接部を点検する際、ジェットポンプライザ管溶接部へアクセス装置をアクセスさせるためのジェットポンプライザ管溶接部へのアクセス方法において、
アクセス装置と、アクセス装置に接続され、アクセス装置の遠隔操作を可能とするための操作用ロープと、アクセス装置がジェットポンプライザ管溶接部へアクセスするのを補助するとともにアームを含む補助ツールと、補助ツールに接続され、補助ツールの遠隔操作を可能とするための操作ポールとを準備する工程と、
補助ツールのアームに予め操作用ロープを嵌合しておき、アクセス装置と、補助ツールと、操作ポールとを一体として操作用ロープによって原子炉圧力容器内に吊り下げる工程と、
補助ツールがシュラウド上部へ着座した後、この補助ツールをシュラウド上部に固定する工程と、
補助ツールのアームを、原子炉圧力容器内壁側へ伸ばし、アクセス装置と操作用ロープとを原子炉圧力容器内壁側へ移動させる工程と、
アクセス装置と操作用ロープとを更に降下させて、アクセス装置をジェットポンプライザ管溶接部へアクセスさせる工程と、を備え、
原子炉圧力容器内壁とシュラウドとの間であって、ジェットポンプライザ管の上方に設置されたインレットミキサを取り外すことなく、ジェットポンプライザ管溶接部へアクセス装置がアクセスできることを特徴とするジェットポンプライザ管溶接部へのアクセス方法。
【請求項２】
原子炉圧力容器内において、ジェットポンプライザ管がライザーブレースにより保持され、
アクセス装置と操作用ロープとを降下させて、アクセス装置をジェットポンプライザ管溶接部へアクセスさせる工程は、アクセス装置と操作用ロープとを、ライザーブレースの内側を通過させる工程を含むことを特徴とする請求項１に記載のジェットポンプライザ管溶接部へのアクセス方法。
【請求項３】
アクセス装置に、超音波探傷用プローブと、超音波探傷用プローブを駆動させるための駆動機構と、が設けられ、このことにより、ジェットポンプライザ管溶接部の超音波探傷を可能とすることを特徴とする請求項１または２に記載のジェットポンプライザ管溶接部へのアクセス方法。
【請求項４】
アクセス装置に、水中カメラが設けられ、このことにより、ジェットポンプライザ管溶接部の目視検査（ＶＴ）を可能とすることを特徴とする請求項１または２に記載のジェットポンプライザ管溶接部へのアクセス方法。
【請求項５】
アクセス装置に、補修用のツールが取り付けられ、このことにより、ジェットポンプライザ管溶接部の補修を可能とすることを特徴とする請求項１または２に記載のジェットポンプライザ管溶接部へのアクセス方法。
【発明の詳細な説明】
【技術分野】
【０００１】
本発明は、原子炉圧力容器内に設置されたジェットポンプライザ管溶接部を点検する際、ジェットポンプライザ管溶接部へアクセス装置をアクセスさせるためのジェットポンプライザ管溶接部へのアクセス方法に関する。
【背景技術】
【０００２】
従来より、原子力発電所の停止期間中に、原子炉圧力容器内構造物の点検などの作業を実施する場合、原子炉圧力容器内を水で満たした状態で、ウェル上部より検査装置を吊り下ろして目的部位にアクセスさせる作業が行われている。しかしながら、ジェットポンプは、形状が複雑で、かつ原子炉圧力容器（ＲＰＶ）とシュラウドとの限られた空間に配置されているため、ジェットポンプ周囲のスペースは狭隘となっている。特に、ジェットポンプのジェットポンプライザ管の上端にインレットミキサが接続され、ジェットポンプライザ管の下方側であって、インレットミキサの下端にディフューザが接続されているため、これらインレットミキサとディフューザとによって、ジェットポンプライザ管への検査装置のアクセスが遮られている。このため、ジェットポンプライザ管へ原子炉圧力容器上部から検査装置をアクセスさせる場合、ジェットポンプライザ管上方に設置されているインレットミキサを取外すことが一般的に行われている。
【発明の開示】
【発明が解決しようとする課題】
【０００３】
しかしながら、原子力発電所の停止期間は可能な限り短くする要請があるにもかかわらず、インレットミキサの取外し作業、および点検後のインレットミキサの取り付け作業に長時間かかっているのが実情である。このため、原子炉圧力容器内構造物の点検などの作業は長時間を要し、原子力発電所の停止期間を短くすることができない。また、ジェットポンプライザ管の下方にあるエルボ近傍を点検するために、インレットミキサを取外すことなく検査装置をアクセスさせる場合には、ジェットポンプ周囲の狭隘なスペースから検査装置を取り付けたアクセス装置をアクセスさせる必要がある。この場合、ヘッド部に複数の駆動軸を有するような検査装置を取り付けたアクセス装置をエルボ近傍へアクセスさせることはより困難となる。さらに、検査装置を取り付けたアクセス装置をエルボ近傍へアクセスさせることができたとしても、点検作業後に検査装置を取り付けたアクセス装置を回収することが困難になる。
【０００４】
本発明はこのような点を考慮してなされたものであり、ジェットポンプライザ管の上方に設置されたインレットミキサを取り外すことなく、ジェットポンプライザ管溶接部へ検査装置をアクセスさせることができるジェットポンプライザ管溶接部へのアクセス方法を提供することを目的とする。
【課題を解決するための手段】
【０００５】
本発明は、原子炉圧力容器内に設置されたジェットポンプライザ管溶接部を点検する際、ジェットポンプライザ管溶接部へアクセス装置をアクセスさせるためのジェットポンプライザ管溶接部へのアクセス方法において、アクセス装置と、アクセス装置に接続され、アクセス装置の遠隔操作を可能とするための操作用ロープと、アクセス装置がジェットポンプライザ管溶接部へアクセスするのを補助するとともにアームを含む補助ツールと、補助ツールに接続され、補助ツールの遠隔操作を可能とするための操作ポールとを準備する工程と、補助ツールのアームに予め操作用ロープを嵌合しておき、アクセス装置と、補助ツールと、操作ポールとを一体として操作用ロープによって原子炉圧力容器内に吊り下げる工程と、補助ツールがシュラウド上部へ着座した後、この補助ツールをシュラウド上部に固定する工程と、補助ツールのアームを、原子炉圧力容器内壁側へ伸ばし、アクセス装置と操作用ロープとを原子炉圧力容器内壁側へ移動させる工程と、アクセス装置と操作用ロープとを更に降下させて、アクセス装置をジェットポンプライザ管溶接部へアクセスさせる工程と、を備え、原子炉圧力容器内壁とシュラウドとの間であって、ジェットポンプライザ管の上方に設置されたインレットミキサを取り外すことなく、ジェットポンプライザ管溶接部へアクセス装置がアクセスできることを特徴とするジェットポンプライザ管溶接部へのアクセス方法である。
【０００６】
本発明は、原子炉圧力容器内において、ジェットポンプライザ管がライザーブレースにより保持され、アクセス装置と操作用ロープとを降下させて、アクセス装置をジェットポンプライザ管溶接部へアクセスさせる工程は、アクセス装置と操作用ロープとを、ライザーブレースの内側を通過させる工程を含むことを特徴とする請求項１に記載のジェットポンプライザ管溶接部へのアクセス方法である。
【０００７】
本発明は、アクセス装置に、超音波探傷用プローブと、超音波探傷用プローブを駆動させるための駆動機構と、が設けられ、このことにより、ジェットポンプライザ管溶接部の超音波探傷を可能とすることを特徴とする請求項１または２に記載のジェットポンプライザ管溶接部へのアクセス方法である。
【０００８】
本発明は、アクセス装置に、水中カメラが設けられ、このことにより、ジェットポンプライザ管溶接部の目視検査（ＶＴ）を可能とすることを特徴とする請求項１または２に記載のジェットポンプライザ管溶接部へのアクセス方法である。
【０００９】
本発明は、アクセス装置に、補修用のツールが取り付けられ、このことにより、ジェットポンプライザ管溶接部の補修を可能とすることを特徴とする請求項１または２に記載のジェットポンプライザ管溶接部へのアクセス方法である。
【発明の効果】
【００１０】
本発明によれば、原子炉圧力容器内壁とシュラウドとの間であって、ジェットポンプライザ管の上方に設置されたインレットミキサを取り外すことなく、ジェットポンプライザ管溶接部へアクセス装置をアクセスさせることができる。これにより、原子力発電所の停止期間を短縮することができる。
【発明を実施するための最良の形態】
【００１１】
発明の実施の形態
以下、図面を参照して、本発明の実施の形態について説明する。ここで、図１乃至図５は、本発明によるジェットポンプライザ管溶接部へのアクセス方法の実施の形態を示す図である。このうち、図１および図２は、本発明にかかる原子炉内構造物の設置例を示す図であり、図３乃至図５は、本発明に係るアクセス方法を説明するための図である。
【００１２】
まず、図１および図２により、ＢＷＲタイプの原子炉におけるジェットポンプ１７周囲の構造について説明する。原子炉は、原子炉圧力容器（ＲＰＶ）５と、原子炉圧力容器５の内部に収納される燃料集合体を支持するシュラウド６と、原子炉圧力容器５の内壁とシュラウド６との間に設けられたジェットポンプ１７とを備えている。ジェットポンプ１７は、冷却材を取り込む側に設置されたジェットポンプライザ管１と、ジェットポンプライザ管１の上方に設置され、ジェットポンプライザ管１の上端に接続されるインレットミキサ１３と、ジェットポンプライザ管１の下方に設置され、インレットミキサ１３の下端に接続されるディフューザ３とを有している。１１０ＭｅＷ級の原子炉においては、ジェットポンプライザ管１は、原子炉圧力容器５内に３０°ピッチで１０体設置され、各ジェットポンプライザ管１の下方には、エルボ４が設けられている。また、ジェットポンプライザ管１を原子炉圧力容器５の内壁に支持するために、ライザーブレースアーム２が原子炉圧力容器５の内壁に取付けられている。なお、原子炉を停止して定期検査を実施している間は、原子炉圧力容器５内は水で満たされている。
【００１３】
次に、図３により、ジェットポンプライザ管１の溶接部１ａ（以下、ジェットポンプライザ管溶接部１ａ）へのアクセス方法について説明する。本発明によるジェットポンプライザ管溶接部１ａへのアクセス方法は、原子炉圧力容器５内に設置されたジェットポンプライザ管溶接部１ａを点検する際、ジェットポンプライザ管溶接部１ａへアクセス装置８をアクセスさせるための方法である。
【００１４】
まず、先端にヘッド１２が取り付けられたアクセス装置８と、アクセス装置８に接続され、アクセス装置８の遠隔操作を可能とするための操作用ロープ１１と、アクセス装置８をジェットポンプライザ管溶接部１ａまでアクセスさせることを補助する補助ツール９と、補助ツール９に接続され、補助ツール９の遠隔操作を可能とするための操作ポール１０とを準備する。また、ヘッド１２には、超音波探傷用プローブ１９と、超音波探傷用プローブ１９を駆動させるための駆動機構２０とが設けられている（図５参照）。
【００１５】
次に、補助ツール９のアーム１６の先端に予め操作用ロープ１１を通しておき、アクセス装置８と、補助ツール９と、操作ポール１０とを、一体として操作用ロープ１１を保持しながら原子炉圧力容器５内に吊り下げる。
【００１６】
次に、操作用ロープ１１によって、アクセス装置８と、補助ツール９と、操作ポール１０とを吊り下げた後、シュラウド６のガイドピンなど、方位の定められた部品を基準としてジェットポンプライザ管１の方位に合わせて、補助ツール９をシュラウド６上部へ着座させる。その後、固定用エアシリンダ１４を駆動させて、補助ツール９をシュラウド６上部に固定する。
【００１７】
次に、補助ツール９がシュラウド６上部に固定された後、アーム伸縮用エアシリンダ１５を駆動させて、補助ツール９のアーム１６を半径方向外方へ伸ばし、アクセス装置８と操作用ロープ１１とをライザーブレース２の開口部上方に移動させる（図４参照）。
【００１８】
次に、アクセス装置８の操作用ロープ１１を原子炉圧力容器５内へ少しずつ送り込む。このことにより、アクセス装置８と操作用ロープ１１とを、ライザーブレース２の内側を通過させて更に降下させ、アクセス装置８をジェットポンプライザ管溶接部１ａへアクセスさせる（図４および図５参照）。
【００１９】
その後、アクセス装置８をジェットポンプライザ管１へ位置決めして固定する。次に、アクセス装置８の先端に取り付けられたヘッド１２を、ジェットポンプライザ管溶接部１ａの任意の位置までもってくる。
【００２０】
その後、アクセス装置８の先端に取り付けられたヘッド１２に設けられた超音波探傷用１９と、超音波探傷用プローブ１９を駆動させるための駆動機構２０とを用い、駆動機構２０により超音波探傷用プローブ１９を駆動させて、超音波探傷用プローブ１９により、ジェットポンプライザ管溶接部１ａに対して遠隔操作により超音波探傷を行う。
【００２１】
このように、超音波探傷用プローブ１９により、ジェットポンプライザ管溶接１ａに対して超音波探傷を行った後、操作用ロープ１１を引き上げて、アクセス装置８、補助ツール９、および操作ポール１０を回収する。この場合、上述したアクセス装置８、補助ツール９、および操作ポール１０を操作用ロープ１１によって吊り下げる手順とは逆の手順を踏むことにより、操作用ロープ１１を引き上げて、原子炉圧力容器５の外部へ、安全にアクセス装置８、補助ツール９、および操作ポール１０を回収する。
【００２２】
また、補助ツール９のアーム１６の伸縮代を調整することにより、アクセス装置８と操作用ロープ１１との原子炉圧力容器５内における半径方向位置を調節することができる。このため、原子炉圧力容器５上部に設けられたＣＳ配管７とシュラウド６との溶接部７ａ、および原子炉圧力容器５に取付けられたブラケット１８の溶接部１８ａなどの部位に、容易かつ確実にアクセス装置８をアクセスさせることが可能となる。これにより、アクセス装置８の構造として、これらの溶接部７ａ、１８ａに適したものを選択することによって、ＣＳ配管７とシュラウド６との溶接部７ａ、およびブラケット１８の溶接部１８ａなどの部位に対して遠隔操作により超音波探傷を行うことができる。
【００２３】
以上のように本実施の形態によれば、ジェットポンプライザ管１の上方に設置されたインレットミキサ１３を取外すことなく、また、原子炉圧力容器５内上部に設置されたＣＳ配管７と干渉をすることなく、アクセス装置８のアクセス経路としてライザーブレース２の内側を利用して、アクセス装置８をジェットポンプライザ管溶接部１ａへアクセスさせることができる。このように、アクセス装置８をジェットポンプライザ管溶接部１ａへアクセスする際、インレットミキサ１３を取り外すことがないため、点検作業時間を削減することができ、原子力発電所の停止期間を短縮することができる。また、アクセス装置８をジェットポンプライザ管溶接部１ａにアクセスさせた後は、超音波探傷用プローブ１９と駆動機構２０とを用いて、遠隔操作により超音波探傷による非破壊検査を行うことができる。
【００２４】
本発明の変形例
次に、本発明によるジェットポンプライザ管溶接部へのアクセス方法の変形例について説明する。
上記変形例において、アクセス装置８の先端に取り付けられたヘッド１２に、水中カメラ２１を設けてもよい（図５参照）。
【００２５】
本変形例によれば、アクセス装置８の先端に取り付けられたヘッド１２に、水中カメラ２１を設けることにより、ジェットポンプライザ管溶接部１ａの遠隔操作により目視検査（ＶＴ）を行うことができる。このため、遠隔操作により目視検査（ＶＴ）による非破壊検査を行うことができる。
【００２６】
さらに、アクセス装置８の先端に取り付けられたヘッド１２に、ＥＤＭ用または補修溶接用の補修用のツール２２を設けてもよい（図５参照）。
【００２７】
本変形例によれば、アクセス装置８の先端に取り付けられたヘッド１２に、ＥＤＭ用または補修溶接用のツール２２を設けることにより、点検の結果、ひび割れなどの異常が確認された場合には、点検時と同様にアクセス装置８をジェットポンプライザ管溶接部１ａへアクセスさせた後、ジェットポンプライザ管溶接部１ａの補修を行うことができる。このため、遠隔操作により、ジェットポンプライザ管溶接部１ａの補修を行うことができる。
【図面の簡単な説明】
【００２８】
【図１】本発明に係るジェットポンプライザ管溶接部へのアクセス方法が実施される原子炉圧力容器内を示す図。
【図２】本発明に係るジェットポンプライザ管溶接部へのアクセス方法が実施される原子炉圧力容器内を示す拡大図。
【図３】本発明に係るアクセス方法の一実施の形態を説明するための図。
【図４】本発明に係るアクセス方法の一実施の形態を説明するための図。
【図５】本発明に係るアクセス方法の一実施の形態を説明するための図。
【符号の説明】
【００２９】
１      ジェットポンプライザ管
１ａ    ジェットポンプライザ管溶接部
２      ライザーブレース
３      ディフューザ
４      エルボ
５      原子炉圧力容器（ＲＰＶ）
６      シュラウド
７      ＣＳ配管
７ａ    溶接部
８      アクセス装置
９      補助ツール
１０    操作ポール
１１    操作用ロープ
１２    ヘッド
１３    インレットミキサ
１４    固定用エアシリンダ
１５    アーム伸縮用エアシリンダ
１６    アーム
１７    ジェットポンプ
１８    ブラケット
１８ａ  溶接部
１９    超音波探傷用プローブ
２０    駆動機構
２１    水中カメラ
２２    ツール
【図１】
2008203203.tif 000003
【図２】
2008203203.tif 000004
【図３】
2008203203.tif 000005
【図４】
2008203203.tif 000006
【図５】
2008203203.tif 000007